(57)【要約】【課題】花や観葉植物等の物品を収納して贈答し又は発送する際に使用する包装ケースの組立て前の形状を分割することによって宅配便の箱寸法規制の改正の影響を受けずに廉価な運送料に抑えることができ、組立て後には従来通り長尺の花や観葉植物等の物品を収納することができる包装ケースを提供する。【解決手段】物品を収納する包装ケースにおいて、ケース本体は、天面を有する蓋ケースと底面を有する底ケースとに分割され、これらの蓋ケース及び底ケースは展開形状を箱形状に組立て可能に形成され、蓋ケースの下端付近の各辺部に内側に向けて突出した凸辺部を形成し、底ケースの上方開口から物品を収納した状態で、蓋ケースの下方内周を底ケースの上方外周に沿って挿入すると共に、蓋ケースの各凸辺部に底ケースの上端を係止させるようにした。【選択図】図１
2014196139.tif 000002
【特許請求の範囲】
【請求項１】
物品を収納する包装ケースにおいて、ケース本体は、天面を有する蓋ケースと底面を有する底ケースとに分割され、これらの蓋ケース及び底ケースは展開形状を箱形状に組立て可能に形成され、蓋ケースの下端付近の各辺部に内側に向けて突出した凸辺部を形成し、底ケースの上方開口から物品を収納した状態で、蓋ケースの下方内周を底ケースの上方外周に沿って挿入すると共に、蓋ケースの各凸辺部に底ケースの上端を係止させるようにしたことを特徴とする包装ケース。
【請求項２】
蓋ケースの下端外周を底ケースの外周面に接着テープで封緘することによって、蓋ケースと底ケースとの内部空間に物品を保持するようにしたことを特徴とする請求項１記載の包装ケース。
【発明の詳細な説明】
【技術分野】
【０００１】
本発明は、花や観葉植物等の物品を収納して贈答し、又は発送する際に使用する包装ケースに関する。
【背景技術】
【０００２】
従来から、花や観葉植物等を贈答する際の贈答箱や、それらを発送する際の発送箱として、例えば、「花ケース」と称する包装ケースが使用されている。この包装ケースは、包装箱の販売業者や製造業者が生花店等に発送する際に使用し、予め決められた数量の包装ケースを折り畳んだ状態で発送箱に収納して梱包し、宅配便等を利用して発送することにより、生花店等に届けるようにしている。
【０００３】
しかしながら、特に、背の高い花や観葉植物等を収納する長尺の包装ケースの場合、宅配便の箱寸法規制に関する改正があると、従来の寸法のままでは規格外になって廉価な料金設定が使用できなくなり、割高な普通便等を使用せざるを得ないという事態が生じる。
【０００４】
ここで、従来の包装ケースについて検討すると、特許文献１に示すように、切り花用の包装ケースと鉢ケース（特許文献１では「貯水体」と云う）との組み合わせにより構成し、夫々の包装ケースと鉢ケースとを折り畳んだ状態で運送し、又は生花店等で組立てるようにしたものがある。
【０００５】
また、他の従来例として、図５(ａ)、(ｂ)に示す包装ケース２０は、長尺の箱形状に組み立てた状態で一側面の下部のみを残して切開した蓋部２１を開閉することが可能な構成を有する。そして、生花店等において、蓋部２１を開放した開口部２２からケース内に不図示の生花や観葉植物等を収納した後、蓋部２１を閉じて接着テープ２３等で封緘し、購入者等の届け先に発送するようにしている。
【先行技術文献】
【特許文献】
【０００６】
【特許文献１】特開２００７−２０４１２８号公報
【発明の概要】
【発明が解決しようとする課題】
【０００７】
上記のように、特許文献１に示す切り花用の包装ケース、或いは図５（ａ）、(ｂ)に示す包装ケースは、いずれもケース本体を折り畳んだ運送時の最大長さが宅配便の箱寸法規制の影響を受けることになる。一方、ケース本体の長さを縮小すると、背の高い長尺の花や観葉植物等を包装ケース内に収納することができなくなるという不都合が生じる。
【０００８】
本発明は、上記の事情に鑑みてなされたものであり、花や観葉植物等の物品を収納して贈答し又は発送する際に使用する包装ケースの組立て前の形状を分割することによって宅配便の箱寸法規制の改正の影響を受けずに廉価な運送料に抑えることができ、組立て後には従来通り長尺の花や観葉植物等の物品を収納することができるようにした包装ケースを提供することを目的とする。
【課題を解決するための手段】
【０００９】
上記の課題を解決するために、本発明における請求項１の包装ケースは、物品を収納する包装ケースにおいて、ケース本体は、天面を有する蓋ケースと底面を有する底ケースとに分割され、これらの蓋ケース及び底ケースは展開形状を箱形状に組立て可能に形成され、蓋ケースの下端付近の各辺部に内側に向けて突出した凸辺部を形成し、底ケースの上方開口から物品を収納した状態で、蓋ケースの下方内周を底ケースの上方外周に沿って挿入すると共に、蓋ケースの各凸辺部に底ケースの上端を係止させるようにしたことを特徴とする。
【００１０】
また、本発明における請求項２の包装ケースは、請求項１において、蓋ケースの下端外周を底ケースの外周面に接着テープで封緘することによって、蓋ケースと底ケースとの内部空間に物品を保持するようにしたことを特徴とする。
【発明の効果】
【００１１】
本発明の包装ケースによれば、ケース本体は、天面を有する蓋ケースと底面を有する底ケースとに分割され、これらの蓋ケース及び底ケースは夫々の展開形状を箱形状に組立て可能に形成されている。このため、ケース本体は、組立て前において、２ピースの展開形状に分割されている。従って、組み立て前の保管時においては、折り畳んだ状態の蓋ケースと底ケースとをコンパクトな発送箱に収納することができ、保管の際にも狭いスペースに収納することが可能となる。
【００１２】
また、包装ケースを２ピースに分割したことによって、蓋ケースと底ケースの組み立て前の折り畳んだ状態の最大高さを低く抑えることが可能である。このため、包装ケースの発送時において、宅配便の箱寸法規制の範囲内に収めることができ、従来通りの廉価な料金設定の宅配便を利用することが可能となる。
【００１３】
さらに、包装ケースを蓋ケースと底ケースの２ピースに分割したことによって、生花店や購入者が容易に梱包したり開梱することが可能となる。
【００１４】
また、包装ケースを蓋ケースと底ケースの２ピースに分割したことによって、底ケースと蓋ケースの材質を変えることができ、コスト面でのメリットを得ることが可能となる。
【図面の簡単な説明】
【００１５】
【図１】（ａ）は本発明の実施例における蓋ケースと底ケースとを合体する前の状態を示す斜視図であり、(ｂ)は蓋ケースと底ケースとを合体して包装ケースを構成した状態を示す斜視図である。
【図２】（ａ）は本発明の実施例における包装ケースを構成する蓋ケースの展開図であり、(ｂ)は底ケースの展開図である。
【図３】（ａ）は本発明の実施例における包装ケースに使用する鉢ケースの使用状態を示す斜視図であり、(ｂ)は鉢ケースの展開図である。
【図４】本発明における底ケースの他の実施例を示す展開図である。
【図５】（ａ）は従来の包装ケースの蓋部を開放した状態を示す斜視図であり、(ｂ)は包装ケースの蓋部を閉じた状態を示す斜視図である。
【発明を実施するための形態】
【００１６】
以下、本発明の実施例について図面を参照しながら説明する。
【実施例】
【００１７】
本実施例の包装ケースは、花や観葉植物等の物品を収納して贈答し又は発送する際に使用するものである。その包装ケース１のケース本体２は、図１(ａ)に示すように、天面３を有する箱形状の蓋ケース４と底面５を有する箱形状の底ケース６とに分割した２ピースの箱体から構成している。また、これらの蓋ケース４及び底ケース６は、図２（ａ）、(ｂ)に示す展開形状を、図１(ａ)、(ｂ)に示す箱形状に組立てることができるように形成されている。
【００１８】
ここで、本実施例における蓋ケース４の展開形状について説明すると、図２(ａ)に示すように、段ボール等の材料を用いて、４面から成る長方形状の側面体４ａ、４ａ…を各折曲線７を介して横方向に連続形成すると共に、各側面体４ａの上部に折曲線７を介して折曲片３ａを形成し、これらの折曲片３ａを折り曲げることによって蓋ケース４の天面３を形成するようにしている。
【００１９】
また、連続した側面体４ａ、４ａ…の一側には、接合片８が折曲線７を介して形成されている。従って、蓋ケース４を組み立てる際には、接合片８及び４面の側面体４ａ、４ａ…を各折曲線７で折り曲げて接合片８を対接する側面体４ａに固定し、さらに各折曲片３ａを折り曲げて接着テープ９で止めることによって、図１(ａ)に示す天面３を有する箱形状の蓋ケース４を形成することができる。なお、接合片８を対接する側面体４ａに接着するには、糊剤、両面テープ又はステッチ止め等を利用するとよい。
【００２０】
さらに、図２(ａ)に示すように、蓋ケース４の下端付近の各折曲線７の上部には、上下横方向に二条の切開線１０、１０が形成され、箱形状の蓋ケース４を組み立てた際に、各切開線１０、１０の間を内側に向けて押圧することにより、蓋ケース４の各辺部の内側に向けて凸辺部１１が形成される。
【００２１】
さらに、図２(ｂ)に示す底ケース６の展開形状について説明する。上記の蓋ケース４と同様に、段ボール等の材料を用いて４面から成る長方形状の側面体６ａ、６ａ…を折曲線７を介して横方向に連続形成すると共に、各側面体６ａ、６ａ…の下部に折曲線７を介して折曲片５ａ、５ａ…を形成する。そして、これらの折曲片５ａ、５ａ…を折り曲げることによって底ケース６の底面５を形成することが可能となる。
【００２２】
さらに、連続した側面体６ａの一側には、接合片８が折曲線７を介して形成されている。従って、底ケース６を組み立てる際には、接合片８及び４面の側面体６ａを各折曲線７で折り曲げて接合片８で固定し、図１(ａ)に示すように、各折曲片５ａを折り曲げて接着テープ９で止めることによって底面５を有する箱形状の底ケース６が形成される。
【００２３】
なお、本実施例においては、図４に示すように、底ケース６の一側面における所定高さの横方向に切離線１８ａを形成することによって開閉可能な蓋部１８を形成することが可能である。このような構成により、箱形状に組み立てた蓋ケース４の蓋部１８を開放することによって、その開口部から花や観葉植物等の物品を出し入れすることが可能となる。なお、このように底ケース６の一側面に蓋部１８を形成する場合、接合片８に接する蓋部１８に相当する部位は、接合手段を設けていない非接合部８ａとし、蓋部１８の側部の折曲線７で折り曲げて開閉動作を行うようにするとよい。
【００２４】
また、上記の蓋ケース４と底ケース６のいずれも、箱形状に組立てた後において両側部に手指を挿入することができる長円形の穴部１２を形成するとよい。このような構成により、後述するように、蓋ケース４と底ケース６とを合体した際、蓋ケース４と底ケース６の夫々の穴部１２を一致させ、そこに手指を挿入することによって包装ケース１を持ち上げる際等に利便となる。
【００２５】
上記のように構成された包装ケース１を使用するには、図１(ａ)に示すように、箱形状に組み立てた底ケース６の上方開口から花や観葉植物等の物品を収納した状態で、箱形状に組み立てた蓋ケース４の下方内周を底ケース６の上方外周に沿って挿入する。そして、図１(ｂ)に示すように、蓋ケース４の各凸辺部１１、１１…に底ケース６の上端６bを係止させた状態で、蓋ケース４の下端外周を底ケース６の外周面に接着テープ９で封緘する。このような構成により、蓋ケース４と底ケース６との内部空間に花や観葉植物等の物品を保持することが可能となる。
【００２６】
また、本実施例において、蓋ケース４の底面５に収納する鉢ケース１３は、図３(ａ)、(ｂ)に示すように、天板１４と該天板１４の四辺に鉢ケース１３の高さを確保するための折曲片１５を折曲線１５ａを介して折り曲げ自在に形成してあり、天板１４の中央に鉢１６の外周部を拘束する内径の穴部１２が形成されている。なお、図３(ｂ)に示すように、穴部１２は円形のミシン目で形成され、穴部１２の内部には中心の穿孔１７ａに向かって放射状に複数の切開線１７ｂが形成されている。
【００２７】
このような構成により、穴部１７の上方から鉢１６を挿入すると、各切開線１７ｂを開きながら鉢１６が下方へ沈み込んで、鉢１６の外周を穴部１２で拘束する状態となる。そして、図３（ａ）に示すように、鉢ケース１３の天板１４の穴部１２に花や観葉植物等の鉢１６を挿入した状態で、花や観葉植物等の鉢１６を蓋ケース４の底面５の上部に収納して固定状態とすることが可能となる。
【００２８】
なお、上記の説明において、本実施例の包装ケースに収納する物品としては、花や観葉植物を例として挙げているが、可能な限り、その他の物品を収納するようにしてもよい。
【産業上の利用可能性】
【００２９】
本発明の包装ケースは、花や観葉植物等の物品を収納して贈答し又は発送する際に使用する包装ケースの組立て前の形状を分割することによって宅配便の箱寸法規制の改正の影響を受けずに廉価な運送料に抑えることができ、組立て後には従来通り長尺の花や観葉植物等の物品を収納することができるようにした包装ケースとして利用可能である。
【符号の説明】
【００３０】
１  包装ケース
２  ケース本体
３  天面
３ａ  折曲片
４  蓋ケース
４ａ  側面体
５  底面
６  底ケース
６ａ  側面体
６b  底ケースの上端
７  折曲線
８  接合片
８ａ  非接合部
９  接着テープ
１０  切開線
１１  凸辺部
１２  穴部
１３  鉢ケース
１４  天板
１５  折曲片
１５ａ  折曲線
１６  鉢
１７  穴部
１７ａ  穿孔
１７ｂ  切開線
１８  蓋部
１８ａ  切離線
【図１】
2014196139.tif 000003
【図２】
2014196139.tif 000004
【図３】
2014196139.tif 000005
【図４】
2014196139.tif 000006
【図５】
2014196139.tif 000007